(57)【要約】    【課題】視認性を向上させることができる信号機を提供する。    【解決手段】入換信号機の３つの信号灯のうち、Ｃ灯１を赤色と青緑色との間で切換自在な可変色灯にする。Ｒ灯２の点灯色を赤色に設定して、Ｈ灯３の点灯色を青緑色に設定する。Ｃ灯１とＲ灯２とからなる停止用灯列８を赤色に点灯させて停止現示を表示する。Ｃ灯１とＨ灯３とからなる進行用灯列９を青緑色に点灯させて進行現示を表示する。停止用灯列８又は進行用灯列９を点灯させることにより、灯列式信号機として機能する。赤色又は青緑色に点灯させることにより色灯式信号機として機能する。灯列式信号機の機能と色灯式信号機の機能とを併せ持つので、信号機の視認性が向上する。【選択図】図１
2005145260.tif 000002
【特許請求の範囲】
【請求項１】
指示を表示するための一又は複数の信号灯を備えた信号機において、
前記信号灯の少なくとも一つがその点灯色を切換自在な可変色灯とされ、
該可変色灯は、発光色の異なる複数種類のＬＥＤをそれぞれ複数個配置してなり、同一発光色のＬＥＤごとに、通電状態と非通電状態とを切換自在とされたことを特徴とする信号機。
【請求項２】
前記可変色灯におけるＬＥＤの個数および電流値を発光色ごとに設定し、前記可変色灯の輝度を各点灯色に応じた大きさに設定することにより、
前記可変色灯の各点灯色における視認性が同程度に設定されたことを特徴とする請求項１に記載の信号機。
【請求項３】
前記信号灯を配列してなる複数の灯列が設けられ、前記信号灯のうち、いずれかの灯列に専用される専用灯は、同一発光色のＬＥＤを複数個配置してなり、複数の灯列に共用される共用灯は、前記可変色灯からなり、
各灯列ごとに異なる点灯色に設定され、前記複数の灯列のいずれかを点灯させる灯列式信号機としての機能と、いずれかの点灯色を表示する色灯式信号機としての機能とを併せ持つことを特徴とする請求項１又は２に記載の信号機。
【請求項４】
運転士に対して指示を表示する入換信号機と、誘導者に対して情報を表示する入換標識との兼用機とされ、
ＬＥＤを複数個配置してなり、入換信号機と入換標識とを識別するための識別標識が設けられたことを特徴とする請求項３に記載の信号機。
【請求項５】
前記灯列を構成する各信号灯および前記識別標識に、複数のＬＥＤを接続してなるＬＥＤ群が設けられ、各信号灯および前記識別標識のＬＥＤ群同士が直列に接続されたことを特徴とする請求項３又は４に記載の信号機。
【請求項６】
前記灯列を構成する各信号灯および前記識別標識にそれぞれ複数のＬＥＤ群が設けられ、各信号灯および識別標識のＬＥＤ群同士を直列に接続する複数の回路が並列に設けられたことを特徴とする請求項５に記載の信号機。
【発明の詳細な説明】
【技術分野】
【０００１】
本発明は、例えば運転士に対する進行および停止の指示を表示して、鉄道などにおける交通を制御するための信号機に関するものである。
【背景技術】
【０００２】
一般に、鉄道などには、信号灯の点灯および消灯によって運転士に対する進行および停止の指示を表示し、交通を制御するための信号機が設置されている。この信号機としては、信号灯を複数方向に配列してなる複数の灯列を備えた灯列式信号機や、点灯色の異なる複数の信号灯を備えた色灯式信号機が用いられる。
【０００３】
図６に灯列式信号機の一例としての入換信号機の正面図を示す。この入換信号機は、入換標識との兼用機であり、指示や情報を表示する３つの信号灯と、入換信号機および入換標識を識別するための識別標識１０１とを備えている。
【０００４】
この兼用機は、識別標識（Ｍ灯）１０１の点灯時に、運転士に停止又は進行を指示する入換信号機となり、識別標識１０１の消灯時に、誘導者に進路の開通又は不通の情報を表示する入換標識となる。３つの信号灯は、Ｃ灯１０２、Ｒ灯１０３およびＨ灯１０４であり、これらを組み合わせてなる灯列の点灯又は消灯により、進路の開通又は不通を示す。
【０００５】
図６のうち、（ａ）は、Ｃ灯１０２およびＲ灯１０３から構成される灯列と、識別標識１０１とを点灯させて、運転士に対して停止を指示する停止現示を示す。（ｂ）は、Ｃ灯１０２およびＨ灯１０４から構成される灯列と、識別標識１０１とを点灯させて、運転士に対して進行を指示する進行現示を示す。（ｃ）は、Ｃ灯１０２およびＨ灯１０４から構成される灯列を点灯させて、識別標識１０１を消灯させ、誘導者に対して進路の開通を表示する入換標識開通表示を示す。
【０００６】
このように、入換信号機に代表される灯列式信号機は、複数の灯列のうち、指示内容に対応する配列方向の灯列を点灯させるようになっており、その配列方向によって指示内容を表示する。この灯列式信号機としては、入換信号機以外にも中継信号機が例示される。
【０００７】
色灯式信号機は、一列に配列された信号灯のうち、指示内容に対応する点灯色の信号灯を点灯させるようになっており、その点灯色によって指示内容を表示する。この色灯式信号機としては、主信号機や手信号代用器が例示される。
【０００８】
なお、本発明に関連する背景技術が記載された文献は発見されない。
【発明の開示】
【発明が解決しようとする課題】
【０００９】
ところで、灯列式信号機および色灯式信号機の双方の長所を取り入れることにより、信号機の視認性を向上させて交通の安全性を高めることが望まれる。そのための手段としては、灯列式信号機の各灯列を互いに異なる点灯色に設定することが考えられる。
【００１０】
ただ、従来の灯列式信号機においては、複数の灯列が交差する部分に、複数の灯列に共用される共用灯を設けることにより、信号灯の総数を減じるようにしている。このような灯列式信号機に色灯式信号機の機能を付加するには、共用灯に対応する信号灯として、点灯色の種類に等しい数の信号灯を設ける必要があるため、信号灯の総数が多くなり、信号機の大型化が懸念される。
【００１１】
本発明は、小型化を図りつつ視認性を向上させることができる信号機を提供することを目的とする。
【課題を解決するための手段】
【００１２】
上記課題に鑑み、本発明は、指示を表示するための一又は複数の信号灯を備えた構成を前提として、信号灯の少なくとも一つをその点灯色を切換自在な可変色灯とした信号機を提供するものである。可変色灯の構成としては、発光色の異なる複数種類のＬＥＤをそれぞれ複数個配置して、同一発光色のＬＥＤごとに、通電状態と非通電状態とを切換自在とする。
【００１３】
この構成によれば、いずれかの種類のＬＥＤを通電状態にして、そのＬＥＤの発光色に可変色灯を点灯させることができ、通電状態にするＬＥＤの種類を替えることにより、可変色灯の点灯色を切り換えることができる。これにより、一つの信号灯（可変色灯）で複数種類の点灯色を表示することができるので、その分、信号灯の数を少なくして信号機の小型化を図ることができる。
【００１４】
具体的には、可変色灯の点灯色を白赤間で切換自在として、移動禁止合図器に使用したり、可変色灯の点灯色を青赤間で切換自在として、手信号代用器や駐車場の入口に設置する信号機に使用したりすることができる。この場合、可変色灯の発光色を二色間で切り換えることにより、従来の二灯式の信号機を一灯式にして小型化することができる。また、可変色灯の発光色を三種類以上にして、それらの間で切り換えることにより、従来の三灯式以上の信号機を一灯式にすることができる。
【００１５】
可変色灯におけるＬＥＤの個数および電流値を発光色ごとに設定し、可変色灯の輝度を各点灯色に応じた大きさに設定することにより、可変色灯の各点灯色における視認性を同程度に設定する。そうすれば、点灯色ごとに視認性が異なることを防止し、点灯色にかかわらずその視認性を向上させることができる。
【００１６】
つまり、輝度が同じであっても、青色のように見にくい点灯色と、赤色のように見やすい点灯色とがある。そのため、可変色灯の輝度を一定にする場合、その点灯色ごとに見やすさが異なるが、点灯色に応じて輝度を設定することにより、各点灯色における視認性を同程度にすることができる。これにより、青色などの見にくい点灯色の輝度を大きくして、その視認性を向上させ、赤色などの見やすい点灯色の輝度を小さくして、その眩しさによる視認性の低下を防止することができる。
【００１７】
具体的には、ＬＥＤの発光色に応じてその個数および電流値を設定し、可変色灯が各点灯色において同程度の明るさを感じさせるようにする。発光色ごとのＬＥＤの個数および電流値の設定は、それぞれのＬＥＤの定格電圧や発光光度などの特性を勘案して、ＬＥＤの配列および回路構成を設定して行う。なお、輝度は、単位面積当たりの光度（明るさ）であり、その単位を（ｃｄ／ｍ２）で示す。
【００１８】
信号灯を配列してなる複数の灯列を設け、その信号灯のうち、いずれかの灯列に専用される専用灯を、同一発光色のＬＥＤを複数個配置して構成し、複数の灯列に共用される共用灯を、可変色灯から構成する。各灯列ごとに異なる点灯色に設定することにより、複数の灯列のいずれかを点灯させる灯列式信号機としての機能と、いずれかの点灯色を表示する色灯式信号機としての機能とを併せ持つようにする。そうすれば、灯列式信号機と色灯式信号機と組み合わせて、信号機の視認性を向上させることができる。
【００１９】
例えば入換信号機において、その停止灯の点灯色を赤色として、進行灯の点灯色を白色（あるいは青色）とし、共用灯を赤色と白色（あるいは青色）との間で切換自在な可変色灯にする。これにより、停止灯の赤色と共用灯の赤色とで停止現示を表示し、進行灯の白色（青色）と共用灯の白色（青色）とで進行現示を表示することができる。
【００２０】
運転士に対して指示を表示する入換信号機と、誘導者に対して情報を表示する入換標識との兼用機に、入換信号機と入換標識とを識別するための識別標識を設ける。その識別標識を、ＬＥＤを複数個配置して構成すれば、他の信号灯に設けられたＬＥＤと一連の回路を構成することができる。
【００２１】
灯列を構成する各信号灯（および識別標識）に、複数のＬＥＤから構成されるＬＥＤ群を設けて、各信号灯（および識別標識）のＬＥＤ群同士を直列に接続する。そうすれば、ＬＥＤ群同士をシリーズ点灯させることができ、故障により一部の信号灯（又は識別標識）だけが消灯することがなく、ＬＥＤの故障による誤認を防止することができる。なお、各信号灯（および識別標識）のＬＥＤ群同士を直列に接続するので、そのＬＥＤの定格電流値を合わせておくのがよい。
【００２２】
灯列を構成する各信号灯（および識別標識）にそれぞれ複数のＬＥＤ群を設けて、各信号灯（および識別標識）のＬＥＤ群同士を直列に接続する複数の回路を並列に設ける。そうすれば、一部のＬＥＤが故障したとき、これを含む回路のＬＥＤの発光が得られないが、他の回路は正常なままであるので、信号灯（および識別標識）が多少暗くなるだけですむ。すなわち、一部のＬＥＤの故障による機能停止を防止可能な信号機を構成することができる。
【発明の効果】
【００２３】
本発明によると、発光色の異なる複数種類のＬＥＤにより、点灯色を切換自在な可変色灯を構成し、この可変色灯によって複数の点灯色を表示するようにしている。その結果、信号灯の数を少なくすることができるので、信号機の小型化を図ることができる。
【００２４】
灯列式信号機の複数の灯列に共用される共用灯に可変色灯を用いて、各灯列ごとに異なる点灯色に設定することにより、灯列式信号機に色灯式信号機としての機能を付加することができる。これにより、信号機の小型化を図りつつ、その視認性を向上させることができる。
【発明を実施するための最良の形態】
【００２５】
以下、本発明に係る信号機を実施するための最良の形態について、図面を用いて説明する。図１は本発明に係る信号機の正面図である。
【００２６】
この信号機は、鉄道の分岐器付近に設置して回送列車などの交通を制御するためのものであり、運転士に対して進行又は停止を指示する入換信号機と、誘導者に対して進路の開通又は不通の情報を表示する入換標識との兼用機とされる。この入換信号機（入換標識）は、指示や情報を表示する３つの信号灯（Ｃ灯１、Ｒ灯２、Ｈ灯３）と、入換信号機および入換標識を識別するための識別標識（Ｍ灯）４とを備えている。
【００２７】
３つの信号灯のうち、Ｃ灯１は、発光色が赤色のＬＥＤ５と、発光色が青緑色のＬＥＤ６と設けてなり、その点灯色を赤色又は青緑色に切換自在な可変色灯とされる。図２にＣ灯を構成するＬＥＤの配置図を示す。図に示すように、Ｃ灯１に、６０個のＬＥＤ５と４８個のＬＥＤ６とが互いに混ぜ合わせるように配置され、同一発光色のＬＥＤごとに、通電状態と非通電状態とを切り換えることにより、Ｃ灯１の点灯色が切換自在とされる。
【００２８】
Ｒ灯２は、発光色が赤色の８０個のＬＥＤ５を設けた構造とされ、その点灯色を赤色に設定される。また、Ｈ灯３は、発光色が青緑色の８０個のＬＥＤ６を設けた構造とされ、その点灯色を青緑色に設定される。識別標識（Ｍ灯）４は、発光色が紫色の８０個のＬＥＤ７を設けた構造とされ、その点灯色を紫色に設定される。
【００２９】
３つの信号灯の組み合わせにより、Ｃ灯１およびＲ灯２からなる停止用灯列８と、Ｃ灯１およびＨ灯３からなる進行用灯列９とが構成され、その点灯および消灯により、運転士又は誘導者への指示や情報が表示される。ここで、Ｃ灯１が両方の灯列８、９に共用される共用灯であり、Ｒ灯２およびＨ灯３が一方の灯列８、９に専用される専用灯である。
【００３０】
識別標識（Ｍ灯）４は、その点灯により、兼用機が運転士に停止又は進行を指示するための入換信号機であることを示し、その消灯により、兼用機が誘導者に進路の開通又は不通の情報を表示するための入換標識であることを示す。
【００３１】
図１（ａ）に示すように、識別標識（Ｍ灯）４を点灯させ、Ｃ灯１の点灯色を赤色に切り換えると共に、Ｒ灯２を赤色に点灯させて、停止用灯列８を赤色に点灯させることにより、運転士に停止を指示する停止現示が示される。
【００３２】
図１（ｂ）に示すように、識別標識（Ｍ灯）４を点灯させ、Ｃ灯１の点灯色を青緑色に切り換えると共に、Ｈ灯３を青緑色に点灯させて、進行用灯列９を青緑色に点灯させることにより、運転士に進行を指示する進行現示が示される。
【００３３】
図１（ｃ）に示すように、識別標識（Ｍ灯）４を消灯させ、Ｃ灯１の点灯色を青緑色に切り換えると共に、Ｈ灯３を青緑色に点灯させて、進行用灯列９を青緑色に点灯させることにより、進路の開通を表示する入換標識開通表示が示される。
【００３４】
このように、入換信号機（入換標識）が、停止用灯列８および進行用灯列９のいずれかを点灯させる灯列式信号機としての機能と、赤色の点灯色又は青緑色の点灯色を表示する色灯式信号機としての機能とを併せ持つようになっている。
【００３５】
次に、灯列の点灯および消灯を切り換えるための回路を説明する。図３は入換信号機（入換標識）および識別標識を点灯又は消灯させるための回路図である。図に示すように、各信号灯（Ｃ灯１、Ｒ灯２、Ｈ灯３）および識別標識（Ｍ灯）４に、それぞれ複数のＬＥＤ群が設けられている。
【００３６】
Ｃ灯１には、発光色が赤色の３０個のＬＥＤ５からなる２つのＬＥＤ群１０ａ、１０ｂと、発光色が青緑色の２４個のＬＥＤ６からなる２つのＬＥＤ群１１ａ、１１ｂとが設けられている。なお、Ｃ灯１には、合計４つのＬＥＤ群１０ａ、１０ｂおよびＬＥＤ群１１ａ、１１ｂが設けられており、それぞれを構成するＬＥＤ５、６の数が、他の信号灯のＬＥＤ群におけるＬＥＤ５、６よりも少なく設定されている。
【００３７】
Ｒ灯２には、発光色が赤色の４０個のＬＥＤ５からなる２つのＬＥＤ群１２ａ、１２ｂが設けられ、Ｈ灯３には、発光色が青緑色の４０個のＬＥＤ６からなる２つのＬＥＤ群１３ａ、１３ｂが設けられている。識別標識（Ｍ灯）４には、発光色が紫色の４０個のＬＥＤ７からなる２つのＬＥＤ群１４ａ、１４ｂが設けられている。
【００３８】
回路図が示す全体回路は、Ｃ灯１のＬＥＤ群１０ａ、Ｒ灯２のＬＥＤ群１２ａ、識別標識（Ｍ灯）４のＬＥＤ群１４ａを直列に接続する回路と、ＬＥＤ群１０ｂ、ＬＥＤ群１２ｂ、ＬＥＤ群１４ｂを直列に接続する回路とを含み、両回路が並列に設けられている。停止現示を表示させるためのリレー１５の操作により、ＬＥＤ群１０ａ、１０ｂ、ＬＥＤ群１２ａ、１２ｂおよびＬＥＤ群１４ａ、１４ｂに通電され、停止用灯列８が赤色に点灯し、識別標識（Ｍ灯）４が紫色に点灯する。
【００３９】
また、全体回路は、Ｃ灯１のＬＥＤ群１１ａ、Ｈ灯３のＬＥＤ群１３ａ、識別標識（Ｍ灯）４のＬＥＤ群１４ａを直列に接続する回路と、ＬＥＤ群１１ｂ、ＬＥＤ群１３ｂ、ＬＥＤ群１４ｂを直列に接続する回路とを含み、両回路が並列に設けられている。進行現示を表示させるためのリレー１６の操作により、ＬＥＤ群１１ａ、１１ｂ、ＬＥＤ群１３ａ、１３ｂおよびＬＥＤ群１４ａ、１４ｂに通電され、進行用灯列９が青緑色に点灯し、識別標識（Ｍ灯）４が紫色に点灯する。
【００４０】
また、全体回路は、Ｃ灯１のＬＥＤ群１１ａ、Ｈ灯３のＬＥＤ群１３ａを直列に接続する回路と、ＬＥＤ群１１ｂ、ＬＥＤ群１３ｂを直列に接続する回路とを含み、両回路が並列に設けられている。入換標識開通表示を示すためのリレー１７の操作により、ＬＥＤ群１１ａ、１１ｂおよびＬＥＤ群１３ａ、１３ｂに通電され、進行用灯列９が青緑色に点灯し、識別標識（Ｍ灯）４が消灯する。
【００４１】
この全体回路は、信号灯（Ｃ灯１、Ｒ灯２、Ｈ灯３）および識別標識（Ｍ灯）４のＬＥＤ群を直列に接続することにより、いずれかのＬＥＤ群が故障したとき、これを含む回路の他のＬＥＤ群を消灯させるようになっている。また、同一の信号灯（Ｃ灯１、Ｒ灯２、Ｈ灯３）又は識別標識（Ｍ灯）４を点灯させる２つの回路を並列に設けることにより、一方の回路の故障時にも、他方の回路により停止用灯列８および識別標識（Ｍ灯）４を点灯させるようになっている。
【００４２】
次に、各ＬＥＤ群について説明する。図４は互いに接続されたＬＥＤ群を構成するＬＥＤの配置図である。
【００４３】
Ｃ灯１のＬＥＤ群１０ａ、１０ｂは、発光色が赤色の１０個のＬＥＤ５を直列に接続し、これを並列に３列ずつ設けた構成とされ、ＬＥＤ群１１ａ、１１ｂは、発光色が青緑色の３個のＬＥＤ６を直列に接続し、これを並列に８列ずつ設けた構成とされる。Ｒ灯２のＬＥＤ群１２ａ、１２ｂは、発光色が赤色の８個のＬＥＤ５を直列に接続し、これを並列に５列ずつ設けた構成とされ、Ｈ灯３のＬＥＤ群１３ａ、１３ｂは、発光色が青緑色の５個のＬＥＤ６を直列に接続し、これを並列に８列ずつ設けた構成とされる。識別標識（Ｍ灯）４のＬＥＤ群１４ａ、１４ｂは、発光色が紫色の５個のＬＥＤ７を直列に接続し、これを並列に８列ずつ設けた構成とされる。
【００４４】
Ｃ灯１のＬＥＤ群１０ａ、１０ｂにおいて、直列に接続されるＬＥＤ５の数は１０個であり、ＬＥＤ群１１ａ、１１ｂにおいて直列に接続されるＬＥＤ６の数（３個）よりも多く設定されている。これにより、ＬＥＤ５を流れる電流値よりもＬＥＤ６を流れる電流値が大きくなり、赤色よりも見にくい青緑色の輝度が大きくなる。ここで、輝度は、単位面積当たりの光度（明るさ）であり、その単位は（ｃｄ／ｍ２）である。
【００４５】
このように、可変色灯であるＣ灯１のＬＥＤ５、６の個数および電流値を発光色ごとに設定して、Ｃ灯１の輝度を各点灯色に応じた大きさに設定し、各点灯色における視認性を同程度に設定している。
【００４６】
なお、発光色が赤色のＬＥＤ５として、その発光光度が２０００（ｍｃｄ）（電流値Ｉｖ＝２０ｍＡにおける標準値）のもの（例えばスタンレー電気株式会社製のＨ−２０００Ｌ−１−Ｊ２２Ｋ）を例示できる。発光色が青緑色のＬＥＤ６として、その発光光度が３７００（ｍｃｄ）（電流値Ｉｖ＝１０ｍＡにおける標準値）のもの（例えば日亜化学工業株式会社製のＮＳＰＥ５９０Ｓ）を例示できる。発光色が紫色のＬＥＤ７として、その発光光度が４６００（ｍｃｄ）（電流値Ｉｖ＝２０ｍＡにおける標準値）のもの（例えば日亜化学工業株式会社製のＮＳＰＷ５００ＢＳ）を例示できる。ＬＥＤの個数およびその配置は、使用するＬＥＤの特性に応じて適宜変更するのがよい。
【００４７】
上記構成によれば、３つの信号灯（Ｃ灯１、Ｒ灯２、Ｈ灯３）を二方向に配列して、２つの灯列８、９を備えた灯列式信号機を構成すると共に、各灯列８、９を異なる点灯色に設定して色灯式信号機を構成するようにしている。これにより、灯列式信号機および色灯式信号機の機能を併せ持つようにして、入換信号機（入換標識）の視認性を向上させることができる。
【００４８】
Ｃ灯１を可変色灯として、その点灯色を赤色又は青緑色に切換自在としているので、信号灯の数を増加させることなく色灯式信号機の機能を付加することができ、機能付加による入換信号機（入換標識）の大型化を防止することができる。
【００４９】
なお、本発明は、上記の実施の形態に限定されるものではなく、本発明の範囲内において、適宜変更を加えることができる。例えば、進行現示におけるＣ灯１の点灯色、およびＨ灯３の点灯色を青緑色にする代わりに、これらの点灯色を白色に設定してもよい。図５は進行用灯列の点灯色を白色に設定する場合において、互いに接続されたＬＥＤ群を構成するＬＥＤの配置図である。
【００５０】
図５に示すように、Ｃ灯１のＬＥＤ群１１ａ、１１ｂの代わりにＬＥＤ群１８ａ、１８ｂが設けられ、Ｈ灯３のＬＥＤ群１３ａ、１３ｂの代わりにＬＥＤ群１９ａ、１９ｂが設けられている。ＬＥＤ群１８ａ、１８ｂは、発光色が白色の８個のＬＥＤ２０を直列に接続し、これを並列に３列ずつ設けた構成とされる。ＬＥＤ群１９ａ、１９ｂは、発光色が白色の８個のＬＥＤ２０を直列に接続し、これを並列に５列ずつ設けた構成とされる。
【００５１】
Ｃ灯１のＬＥＤ群１８ａ、１８ｂにおいて、並列に接続されるＬＥＤ２０の回路数は３列であり、上記の実施の形態のＬＥＤ群１１ａ、１１ｂにおいて並列に接続されるＬＥＤ６の回路数（６列）よりも少なく設定している。これは、青緑色が白色よりも発光輝度が高いので、その分、分流により電流値を小さくして発光光度を抑え、同時に点灯する他の灯とのバランスをとるためである。他の構成は、上記の実施の形態と同じである。
【００５２】
また、各信号灯（Ｃ灯１、Ｒ灯２、Ｈ灯３）および識別標識（Ｍ灯）４に、２つずつのＬＥＤ群１０ａ、１０ｂ〜１４ａ、１４ｂを設ける代わりに、１つずつ又は３つ以上ずつのＬＥＤ群を設けてもよい。これらのＬＥＤ群を直列に接続して同時に入り切りする代わりに、別々の回路によって個別に入り切りするようにしてもよい。
【００５３】
入換信号機と入換標識との兼用機だけでなく、入換信号機又は入換標識のどちらか一方であってもよく、中継信号機など他の灯列式信号機に本発明を採用してもよい。また、灯列式信号機に限らず、主信号機や手信号代用器、移動禁止合図器、駐車場の入口に設置する信号機などの色灯式信号機において、可変色灯を設けることにより、その信号灯の数を減じて、信号機の小型化を図るようにしてもよい。
【図面の簡単な説明】
【００５４】
【図１】本発明に係る入換信号機（入換標識）の正面図
【図２】Ｃ灯（可変色灯）を構成するＬＥＤの配置図
【図３】入換信号機（入換標識）および識別標識を点灯又は消灯させるための回路図
【図４】互いに接続されたＬＥＤ群を構成するＬＥＤの配置図
【図５】互いに接続されたＬＥＤ群を構成するＬＥＤの配置図（進行用灯列の点灯色を白色に設定する場合）
【図６】従来の入換信号機の正面図
【符号の説明】
【００５５】
１    Ｃ灯
２    Ｒ灯
３    Ｈ灯
４    Ｍ灯
５、６、７、２０
ＬＥＤ
８    停止用灯列
９    進行用灯列
１０ａ、１０ｂ、１１ａ、１１ｂ、１２ａ、１２ｂ、１３ａ、１３ｂ、１４ａ、１４ｂ、１８ａ、１８ｂ、１９ａ、１９ｂ
ＬＥＤ群
【図１】
2005145260.tif 000003
【図２】
2005145260.tif 000004
【図３】
2005145260.tif 000005
【図４】
2005145260.tif 000006
【図５】
2005145260.tif 000007
【図６】
2005145260.tif 000008